(57)【要約】【課題】複数の電線を簡単に接続することができ、作業性に優れた電線接続用具を提供する。【解決手段】下記手順で電線を接続する電線接続用具１０とする。（１）第１のスリーブ装着体４４に第２のスリーブ装着体５２を取り付けていない状態で、第１のスリーブ装着体に装着された導電性スリーブ１２内に電線８０の導体８０ａを挿入する。（２）第１のスリーブ装着体に第２のスリーブ装着体を取り付ける。（３）第２のスリーブ装着体にカバー６６を取り付けていない状態で、第２のスリーブ装着体に装着された導電性スリーブ内に電線の導体を挿入する。（４）第２のスリーブ装着体にカバーを取り付ける。【選択図】図１
2011175769.tif 000002
【特許請求の範囲】
【請求項１】
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着されたスリーブ装着体と、
前記スリーブ装着体に取り付けられるカバーであって、スリーブ装着体に取り付けられたときに、前記複数の導電性スリーブの第１板部および第４板部の突出部分をそれぞれ押圧する押圧突起を有するカバーとを具備し、
前記スリーブ装着体に前記カバーを取り付けていない状態で、スリーブ装着体に装着された前記導電性スリーブ内にその両端開口から電線の導体を挿入して、前記第２板部および第３板部の中央側端部と筒体の内壁との間に前記導体を挟持し、次いでスリーブ装着体にカバーを取り付け、カバーの押圧突起で前記第１板部および第４板部の突出部分を押圧して前記折曲部を内方に押し込み、前記折曲部とスリーブの内壁との間に導体を挟持することを特徴とする電線接続用具。
【請求項２】
筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着されたスリーブ装着体と、
前記スリーブ装着体に取り付けられるカバーであって、スリーブ装着体に取り付けられたときに、前記複数の導電性スリーブの第１板部および第４板部の突出部分をそれぞれ押圧する押圧突起を有するカバーとを具備し、
前記スリーブ装着体に前記カバーを取り付けていない状態で、スリーブ装着体に装着された前記導電性スリーブ内にその両端開口から電線の導体を挿入して、前記第２板部および第３板部の中央側端部と筒体の内壁との間に前記導体を挟持し、次いでスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【請求項３】
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着された第１のスリーブ装着体と、
複数の前記導電性スリーブが並列に装着され、前記第１のスリーブ装着体または他の第２のスリーブ装着体に取り付けられる第２のスリーブ装着体であって、第１のスリーブ装着体または他の第２のスリーブ装着体に取り付けられたときに、第１のスリーブ装着体または他の第２のスリーブ装着体の前記複数の導電性スリーブの第１板部および第４板部の突出部分をそれぞれ押圧する押圧突起を有する第２のスリーブ装着体と、
前記第２のスリーブ装着体に取り付けられるカバーであって、第２のスリーブ装着体に取り付けられたときに、前記複数の導電性スリーブの第１板部および第４板部の突出部分をそれぞれ押圧する押圧突起を有するカバーとを具備し、
前記第１のスリーブ装着体に前記第２のスリーブ装着体を取り付けていない状態で、第１のスリーブ装着体に装着された前記導電性スリーブ内にその両端開口から電線の導体を挿入して、前記第２板部および第３板部の中央側端部と筒体の内壁との間に前記導体を挟持し、次いで第１のスリーブ装着体に第２のスリーブ装着体を取り付け、第２のスリーブ装着体の押圧突起で前記第１板部および第４板部の突出部分を押圧して前記折曲部を内方に押し込み、前記折曲部と導電性スリーブの内壁との間に導体を挟持し、
さらに、前記第２のスリーブ装着体に前記カバーまたは他の第２のスリーブ装着体を取り付けていない状態で、第２のスリーブ装着体に装着された前記導電性スリーブ内にその両端開口から電線の導体を挿入して、前記第２板部および第３板部の中央側端部と筒体の内壁との間に前記導体を挟持し、次いで第２のスリーブ装着体にカバーまたは他の第２のスリーブ装着体を取り付け、カバーまたは第２のスリーブ装着体の押圧突起で前記第１板部および第４板部の突出部分を押圧して前記折曲部を内方に押し込み、前記折曲部と導電性スリーブの内壁との間に導体を挟持し、
第１のスリーブ装着体に複数の第２のスリーブ装着体を取り付けた場合は、最後に取り付けた第２のスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【請求項４】
筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着された第１のスリーブ装着体と、
複数の前記導電性スリーブが並列に装着され、前記第１のスリーブ装着体または他の第２のスリーブ装着体に取り付けられる第２のスリーブ装着体であって、第１のスリーブ装着体または他の第２のスリーブ装着体に取り付けられたときに、第１のスリーブ装着体または他の第２のスリーブ装着体の前記複数の導電性スリーブの第１板部および第４板部の突出部分をそれぞれ押圧する押圧突起を有する第２のスリーブ装着体と、
前記第２のスリーブ装着体に取り付けられるカバーであって、第２のスリーブ装着体に取り付けられたときに、前記複数の導電性スリーブの第１板部および第４板部の突出部分をそれぞれ押圧する押圧突起を有するカバーとを具備し、
前記第１のスリーブ装着体に前記第２のスリーブ装着体を取り付けていない状態で、第１のスリーブ装着体に装着された前記導電性スリーブ内にその両端開口から電線の導体を挿入して、前記第２板部および第３板部の中央側端部と筒体の内壁との間に前記導体を挟持し、次いで第１のスリーブ装着体に第２のスリーブ装着体を取り付け、第２のスリーブ装着体の押圧突起で前記第１板部および第４板部の突出部分を押圧して前記折曲部を内方に押し込み、前記折曲部と導電性スリーブの内壁との間に導体を挟持し、
さらに、前記第２のスリーブ装着体に前記カバーまたは他の第２のスリーブ装着体を取り付けていない状態で、第２のスリーブ装着体に装着された前記導電性スリーブ内にその両端開口から電線の導体を挿入して、前記第２板部および第３板部の中央側端部と筒体の内壁との間に前記導体を挟持し、次いで第２のスリーブ装着体にカバーまたは他の第２のスリーブ装着体を取り付け、カバーまたは第２のスリーブ装着体の押圧突起で前記第１板部および第４板部の突出部分を押圧して前記折曲部を内方に押し込み、前記折曲部と導電性スリーブの内壁との間に導体を挟持し、
第１のスリーブ装着体に複数の第２のスリーブ装着体を取り付けた場合は、最後に取り付けた第２のスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【請求項５】
前記スリーブ装着体およびカバーは略四角ブロック状であり、スリーブ装着体とカバーとを積層するようにしてスリーブ装着体にカバーを取り付けることを特徴とする請求項１または２に記載の電線接続用具。
【請求項６】
前記第１のスリーブ装着体、第２のスリーブ装着体およびカバーは略四角ブロック状であり、第１のスリーブ装着体と第２のスリーブ装着体とを積層するようにして第１のスリーブ装着体に第２のスリーブ装着体を取り付け、第２のスリーブ装着体とカバーとを積層するようにして第２のスリーブ装着体にカバーを取り付けることを特徴とする請求項３または４に記載の電線接続用具。
【請求項７】
前記導電性スリーブは、前記第２スリット対および第３スリット対の２本のスリットの中央側端部間にそれぞれ形成されたスリット間に、筒体の軸方向中央部に位置する中央板部が設けられ、前記中央板部の中央部に導体のストッパーとしての機能を有する凹部が設けられていることを特徴とする請求項１〜６のいずれか１項に記載の電線接続用具。
【発明の詳細な説明】
【技術分野】
【０００１】
本発明は、電線を接続するための電線接続用具に関する。
【背景技術】
【０００２】
従来、電線を接続するための電線接続用具として、略円筒状の金属製圧着スリーブが使用されている（例えば、非特許文献１参照）。この圧着スリーブを用いて電線を接続する場合、電線の導体をスリーブ内に挿入し、次いで専用の圧着工具を用いてスリーブを変形させることにより、導体とスリーブとを圧着させた後、スリーブに絶縁テープを巻き付けることなどにより、スリーブの絶縁を行うものである。
【先行技術文献】
【非特許文献】
【０００３】
【非特許文献１】http://www.asahi-net.or.jp/~yl1h-nkmr/parts/atyaku.html
【発明の概要】
【発明が解決しようとする課題】
【０００４】
しかし、前述した圧着スリーブは、圧着工具によりスリーブを変形させてスリーブに導体を固定した後、スリーブに絶縁テープを巻き付けることなどによりスリーブの絶縁を行うものであるため、電線の接続作業が面倒であるとともに、複数の電線を接続する場合、接続する複数の電線に対してそれぞれ同様の接続作業を行う必要があり、作業性が悪いものであった。
【０００５】
本発明は、上述した事情に鑑みてなされたもので、複数の電線を簡単に接続することができ、作業性に優れた電線接続用具を提供することを目的とする。
【課題を解決するための手段】
【０００６】
本発明は、前記目的を達成するため、下記第１発明〜第４発明に係る電線接続用具を提供する。
【０００７】
（第１発明）
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着されたスリーブ装着体と、
前記スリーブ装着体に取り付けられるカバーであって、スリーブ装着体に取り付けられたときに、前記複数の導電性スリーブの第１板部および第４板部の突出部分をそれぞれ押圧する押圧突起を有するカバーとを具備し、
前記スリーブ装着体に前記カバーを取り付けていない状態で、スリーブ装着体に装着された前記導電性スリーブ内にその両端開口から電線の導体を挿入して、前記第２板部および第３板部の中央側端部と筒体の内壁との間に前記導体を挟持し、次いでスリーブ装着体にカバーを取り付け、カバーの押圧突起で前記第１板部および第４板部の突出部分を押圧して前記折曲部を内方に押し込み、前記折曲部とスリーブの内壁との間に導体を挟持することを特徴とする電線接続用具。
【０００８】
（第２発明）
筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着されたスリーブ装着体と、
前記スリーブ装着体に取り付けられるカバーであって、スリーブ装着体に取り付けられたときに、前記複数の導電性スリーブの第１板部および第４板部の突出部分をそれぞれ押圧する押圧突起を有するカバーとを具備し、
前記スリーブ装着体に前記カバーを取り付けていない状態で、スリーブ装着体に装着された前記導電性スリーブ内にその両端開口から電線の導体を挿入して、前記第２板部および第３板部の中央側端部と筒体の内壁との間に前記導体を挟持し、次いでスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【０００９】
（第３発明）
筒体の一端開口から他端開口にかけて、長さが等しく互いに平行な２本のスリットからなる第１スリット対、第２スリット対、第３スリット対および第４スリット対が軸方向に沿って所定間隔離間して形成され、かつ、前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着された第１のスリーブ装着体と、
複数の前記導電性スリーブが並列に装着され、前記第１のスリーブ装着体または他の第２のスリーブ装着体に取り付けられる第２のスリーブ装着体であって、第１のスリーブ装着体または他の第２のスリーブ装着体に取り付けられたときに、第１のスリーブ装着体または他の第２のスリーブ装着体の前記複数の導電性スリーブの第１板部および第４板部の突出部分をそれぞれ押圧する押圧突起を有する第２のスリーブ装着体と、
前記第２のスリーブ装着体に取り付けられるカバーであって、第２のスリーブ装着体に取り付けられたときに、前記複数の導電性スリーブの第１板部および第４板部の突出部分をそれぞれ押圧する押圧突起を有するカバーとを具備し、
前記第１のスリーブ装着体に前記第２のスリーブ装着体を取り付けていない状態で、第１のスリーブ装着体に装着された前記導電性スリーブ内にその両端開口から電線の導体を挿入して、前記第２板部および第３板部の中央側端部と筒体の内壁との間に前記導体を挟持し、次いで第１のスリーブ装着体に第２のスリーブ装着体を取り付け、第２のスリーブ装着体の押圧突起で前記第１板部および第４板部の突出部分を押圧して前記折曲部を内方に押し込み、前記折曲部と導電性スリーブの内壁との間に導体を挟持し、
さらに、前記第２のスリーブ装着体に前記カバーまたは他の第２のスリーブ装着体を取り付けていない状態で、第２のスリーブ装着体に装着された前記導電性スリーブ内にその両端開口から電線の導体を挿入して、前記第２板部および第３板部の中央側端部と筒体の内壁との間に前記導体を挟持し、次いで第２のスリーブ装着体にカバーまたは他の第２のスリーブ装着体を取り付け、カバーまたは第２のスリーブ装着体の押圧突起で前記第１板部および第４板部の突出部分を押圧して前記折曲部を内方に押し込み、前記折曲部と導電性スリーブの内壁との間に導体を挟持し、
第１のスリーブ装着体に複数の第２のスリーブ装着体を取り付けた場合は、最後に取り付けた第２のスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【００１０】
（第４発明）
筒体の一端開口近傍から他端開口近傍にかけて、長さが等しく互いに平行な２本のスリットからなる第１スリット対、第２スリット対、第３スリット対および第４スリット対が軸方向に沿って所定間隔離間して形成され、かつ、前記第１スリット対および第４スリット対の２本のスリットの開口側端部間ならびに前記第２スリット対および第３スリット対の２本のスリットの中央側端部間にそれぞれスリットが形成されていることにより、前記第１〜第４スリット対の２本のスリット間に、順次、開口側端部が自由端とされた第１板部、中央側端部が自由端とされた第２板部、中央側端部が自由端とされた第３板部および開口側端部が自由端とされた第４板部が設けられ、両端開口から筒体内に電線の導体が挿入される導電性スリーブであって、前記第１板部および第４板部は、開口側端部側に内方に折り曲げられた折曲部を有するとともに、前記折曲部の折曲箇所は筒体の外方に突出し、前記第２板部および第３板部は、中央側端部が筒体の内方に突出して、前記中央側端部と筒体の内壁との間に電線の導体を挟持できるようになっている導電性スリーブと、
複数の前記導電性スリーブが並列に装着された第１のスリーブ装着体と、
複数の前記導電性スリーブが並列に装着され、前記第１のスリーブ装着体または他の第２のスリーブ装着体に取り付けられる第２のスリーブ装着体であって、第１のスリーブ装着体または他の第２のスリーブ装着体に取り付けられたときに、第１のスリーブ装着体または他の第２のスリーブ装着体の前記複数の導電性スリーブの第１板部および第４板部の突出部分をそれぞれ押圧する押圧突起を有する第２のスリーブ装着体と、
前記第２のスリーブ装着体に取り付けられるカバーであって、第２のスリーブ装着体に取り付けられたときに、前記複数の導電性スリーブの第１板部および第４板部の突出部分をそれぞれ押圧する押圧突起を有するカバーとを具備し、
前記第１のスリーブ装着体に前記第２のスリーブ装着体を取り付けていない状態で、第１のスリーブ装着体に装着された前記導電性スリーブ内にその両端開口から電線の導体を挿入して、前記第２板部および第３板部の中央側端部と筒体の内壁との間に前記導体を挟持し、次いで第１のスリーブ装着体に第２のスリーブ装着体を取り付け、第２のスリーブ装着体の押圧突起で前記第１板部および第４板部の突出部分を押圧して前記折曲部を内方に押し込み、前記折曲部と導電性スリーブの内壁との間に導体を挟持し、
さらに、前記第２のスリーブ装着体に前記カバーまたは他の第２のスリーブ装着体を取り付けていない状態で、第２のスリーブ装着体に装着された前記導電性スリーブ内にその両端開口から電線の導体を挿入して、前記第２板部および第３板部の中央側端部と筒体の内壁との間に前記導体を挟持し、次いで第２のスリーブ装着体にカバーまたは他の第２のスリーブ装着体を取り付け、カバーまたは第２のスリーブ装着体の押圧突起で前記第１板部および第４板部の突出部分を押圧して前記折曲部を内方に押し込み、前記折曲部と導電性スリーブの内壁との間に導体を挟持し、
第１のスリーブ装着体に複数の第２のスリーブ装着体を取り付けた場合は、最後に取り付けた第２のスリーブ装着体にカバーを取り付け、カバーの押圧突起で前記第１板部および第４板部の突出部分を押圧して前記折曲部を内方に押し込み、前記折曲部と導電性スリーブの内壁との間に導体を挟持することを特徴とする電線接続用具。
【００１１】
第１発明、第２発明の電線接続用具は、上述した構成としたことにより、スリーブ装着体のスリーブ内に電線の導体を挿入し、次いでスリーブ装着体にカバーを取り付けるだけで、複数の電線を簡単に接続することができるため、作業性に優れている。
【００１２】
第３発明、第４発明の電線接続用具は、上述した構成としたことにより、第１のスリーブ装着体のスリーブ内に電線の導体を挿入し、次いで第１のスリーブ装着体に第２のスリーブ装着体を取り付け、さらに第２のスリーブ装着体のスリーブ内に電線の導体を挿入した後、第２のスリーブ装着体にカバーを取り付けるだけで、複数の電線を簡単に接続することができるため、作業性に優れている。
【００１３】
第１発明、第２発明では、スリーブ装着体およびカバーを略四角ブロック状とし、スリーブ装着体とカバーとを積層するようにしてスリーブ装着体にカバーを取り付ける構成とすることが好ましい。
【００１４】
第３発明、第４発明では、第１のスリーブ装着体、第２のスリーブ装着体およびカバーを略四角ブロック状とし、第１のスリーブ装着体と第２のスリーブ装着体とを積層するようにして第１のスリーブ装着体に第２のスリーブ装着体を取り付け、第２のスリーブ装着体とカバーとを積層するようにして第２のスリーブ装着体にカバーを取り付ける構成とすることが好ましい。
【００１５】
第１発明〜第４発明では、前記導電性スリーブは、前記第２スリット対および第３スリット対の２本のスリットの中央側端部間にそれぞれ形成されたスリット間に、筒体の軸方向中央部に位置する中央板部が設けられ、前記中央板部の中央部に導体のストッパーとしての機能を有する凹部が設けられている構成とすることができる。
【発明の効果】
【００１６】
本発明の電線接続用具は、複数の電線を簡単に接続することができ、作業性に優れている。
【図面の簡単な説明】
【００１７】
【図１】本発明の一実施形態に係る電線接続用具を示すもので、第１のスリーブ装着体に２本の電線を仮止めし、２本の電線を仮止めする前の状態を示す上方から見た斜視図である。
【図２】図１の電線接続用具の第１のスリーブ装着体に４本の電線を仮止めした状態を示す下方から見た斜視図である。
【図３】図１の電線接続用具の第１のスリーブ装着体に第２のスリーブ装着体を取り付けた状態を示す上方から見た斜視図である。
【図４】図１の電線接続用具の第２のスリーブ装着体に４本の電線を仮止めした状態を示す上方から見た斜視図である。
【図５】図１の電線接続用具の第２のスリーブ装着体にカバーを取り付けた状態を示す上方から見た斜視図である。
【図６】図１の電線接続用具の導電性スリーブを示すもので、（ａ）は平面図、（ｂ）は正面断面図、（ｃ）は左側面図である。
【図７】（ａ）図、（ｂ）図は、図１の電線接続用具を用いた電線の接続手順を示す説明図である。
【発明を実施するための形態】
【００１８】
以下、本発明の実施の形態を図面を参照して説明するが、本発明は下記例に限定されるものではない。図１〜図５は、本発明に係る電線接続用具の一実施形態を示すもので、本例では、８本の電線を接続する例を示している。なお、本明細書において、１本の電線を接続するとは、１つの電線対を接続して１本の電線を形成することをいう。図１は第１のスリーブ装着体に２本の電線を仮止めし、２本の電線を仮止めする前の状態を示す上方から見た斜視図、図２は第１のスリーブ装着体に４本の電線を仮止めした状態を示す下方から見た斜視図、図３は第１のスリーブ装着体に第２のスリーブ装着体を取り付けた状態を示す上方から見た斜視図、図４は第２のスリーブ装着体に４本の電線を仮止めした状態を示す上方から見た斜視図、図５は第２のスリーブ装着体にカバーを取り付けた状態を示す上方から見た斜視図である。また、図６は、図１の電線接続用具の導電性スリーブを示すもので、（ａ）は平面図、（ｂ）は正面断面図、（ｃ）は左側面図である。
【００１９】
本例の電線接続用具１０において、１２は両端開口から内部に電線の導体が挿入される導電性スリーブである。スリーブ１２は、銅、銅合金、鉄、鉄合金、アルミニウム、アルミニウム合金、ステンレス鋼等の金属や、導電性樹脂などの導電性物質（本例では、具体的にはコルソン合金（Ｃ７０２５）を使用。）により形成されている。
【００２０】
本例のスリーブ１２は、図６に示すように、略円筒状の筒体１４の一端開口１６から他端開口１８にかけて、長さが等しく互いに平行な２本のスリット２０ａ、２０ｂからなる第１スリット対２０、同様の２本のスリット２２ａ、２２ｂからなる第２スリット対２２、同様の２本のスリット２４ａ、２４ｂからなる第３スリット対２４、および、同様の２本のスリット２６ａ、２６ｂからなる第４スリット対２６が、軸方向に沿って所定間隔離間して形成されている。また、第２スリット対２２の２本のスリット２２ａ、２２ｂの中央側端部間、および、第３スリット対２４の２本のスリット２４ａ、２４ｂの中央側端部間には、それぞれスリット２８、３０が形成されている。
【００２１】
そして、第１〜第４スリット対２０、２２、２４、２６の２本のスリット間に、順次、開口側端部３２ａが自由端とされた第１板部３２、中央側端部３４ａが自由端とされた第２板部３４、中央側端部３６ａが自由端とされた第３板部３６、および、開口側端部３８ａが自由端とされた第４板部３８が設けられている。また、スリット２８、３０の間には、筒体１４の軸方向中央部に位置する中央板部４０が設けられている。
【００２２】
第１板部３２、第４板部３８は、開口側端部側に内方に折り曲げられた折曲部３２ｂ、３８ｂを有するとともに、これら折曲部３２ｂ、３８ｂの折曲箇所３２ｃ、３８ｃは筒体１４の外方に突出している。第２板部３４、第３板部３６は、中央側端部３４ａ、３６ａが筒体１４の内方に突出して、上記中央側端部３４ａ、３６ａと筒体１４の内壁との間に電線の導体を挟持できるようになっている。また、中央板部４０の中央部には、略逆円錐形状の凹部４２が設けられ、筒体１４内に電線の導体を挿入したときに、導体の先端が凹部４２の底面に当たって止まるようになっている。すなわち、凹部４２は、電線の導体のストッパーとしての機能を有する。
【００２３】
本例の電線接続用具１０において、４４は複数の導電性スリーブ１２が並列に装着された第１のスリーブ装着体を示す。第１のスリーブ装着体４４は、絶縁性樹脂などの絶縁性物質（本例では、具体的にはＡＢＳ樹脂を使用。）により形成されている。
【００２４】
第１のスリーブ装着体４４は、平面形状が略長方形である略四角ブロック体４６に、長辺に平行な４本の直線状の溝４８が形成され、これら溝４８内にそれぞれ導電性スリーブ１２が固定されているものである。
【００２５】
また、略四角ブロック体４６の両側面には、後述する第２のスリーブ装着体の係合爪が係合する略直方体状の係合凸部５０が２つずつ設けられている。
【００２６】
本例の電線接続用具１０において、５２は複数の導電性スリーブ１２が並列に装着され、上述した第１のスリーブ装着体４４または他の第２のスリーブ装着体に取り付けられる第２のスリーブ装着体を示す。第２のスリーブ装着体５２は、絶縁性樹脂などの絶縁性物質（本例では、具体的にはＡＢＳ樹脂を使用。）により形成されている。
【００２７】
第２のスリーブ装着体５２は、平面形状が第１のスリーブ装着体４４と同じ大きさの略長方形である略四角ブロック体５４に、長辺に平行な４本の直線状の溝５６が形成され、これら溝５６内にそれぞれ導電性スリーブ１２が固定されているものである。
【００２８】
また、略四角ブロック体５４の両側面には、係合爪５８が２つずつ形成され、これら係合爪５８の先端部には、内方に突出する突起６０が設けられている。そして、第１のスリーブ装着体４４に第２のスリーブ装着体５２を積層したときに、第１のスリーブ装着体４４の係合凸部５０の下側に上記突起６０が入り込むことにより、第１のスリーブ装着体４４に第２のスリーブ装着体５２が取り付けられるようになっている。
【００２９】
さらに、第２のスリーブ装着体５２の下面には、計８つの略平板状の押圧突起６２が設けられ、第２のスリーブ装着体５２を第１のスリーブ装着体４４または他の第２のスリーブ装着体５２に取り付けられたときに、上記押圧突起６２が、第１のスリーブ装着体４４または他の第２のスリーブ装着体５２の導電性スリーブ１２の第１板部３２および第４板部３８の突出部分をそれぞれ押圧するようになっている。
【００３０】
また、略四角ブロック体５４の両側面には、後述するカバーの係合爪が係合する略直方体状の係合凸部６４が２つずつ設けられている。
【００３１】
本例の電線接続用具１０において、６６は第２のスリーブ装着体５２に取り付けられるカバーを示す。カバー６６は、絶縁性樹脂などの絶縁性物質（本例では、具体的にはＡＢＳ樹脂を使用。）により形成されている。
【００３２】
カバー６６は、平面形状が第１のスリーブ装着体４４および第２のスリーブ装着体５２と同じ大きさの略長方形である略四角ブロック体６８の両側面に、係合爪７０が２つずつ形成され、これら係合爪７０の先端部に、内方に突出する突起７２が設けられているものである。そして、第２のスリーブ装着体５２にカバー６６を積層したときに、第２のスリーブ装着体５２の係合凸部６４の下側に上記突起７２が入り込むことにより、第２のスリーブ装着体４４にカバー６６が取り付けられるようになっている。
【００３３】
また、カバー６６の下面には、計８つ略平板状の押圧突起７４が設けられ、カバー６６を第２のスリーブ装着体５２に取り付けたときに、上記押圧突起７４が、第２のスリーブ装着体５２の導電性スリーブ１２の第１板部３２および第４板部３８の突出部分をそれぞれ押圧するようになっている。
【００３４】
本例の電線接続用具１０を用いた電線の接続は、例えば下記（１）〜（４）の手順で行う。なお、電線の種類に特に限定はない。
（１）第１のスリーブ装着体４４に第２のスリーブ装着体５２を取り付けていない状態で、第１のスリーブ装着体４４に装着された導電性スリーブ１２内にその両端開口から被覆を取り除いた電線８０の導体８０ａを挿入する（図１、２参照）。これにより、図７（ａ）に示すように、スリーブ１２の第２板部３４、第３板部３６の中央側端部３４ａ、３６ａと筒体１４の内壁との間に導体８０ａが挟持され、第１のスリーブ装着体４４に電線８０が仮止めされる。この場合、導体８０ａの先端は凹部４２の底面に当たり、それ以上は進まない。なお、図中８０ｂは電線８０の絶縁体を示す。
（２）第１のスリーブ装着体４４に第２のスリーブ装着体５２を取り付ける（図３参照）。これにより、図７（ｂ）に示すように、第２のスリーブ装着体５２の押圧突起６２で第１板部３２、第４板部３８の突出部分３２ｃ、３８ｃを押圧して、折曲部３２ｂ、３８ｂを内方に押し込み、折曲部３２ｂ、３８ｂと筒体１４の内壁との間に導体８０ａを挟持する。
（３）第２のスリーブ装着体５２にカバー６６を取り付けていない状態で、第２のスリーブ装着体５２に装着された導電性スリーブ１２内にその両端開口から被覆を取り除いた電線８０の導体８０ａを挿入する（図４参照）。これにより、図７（ａ）に示すように、スリーブ１２の第２板部３４、第３板部３６の中央側端部３４ａ、３６ａと筒体１４の内壁との間に導体８０ａが挟持され、第２のスリーブ装着体５２に電線８０が仮止めされる。
（４）第２のスリーブ装着体５２にカバー６６を取り付け、図７（ｂ）に示すように、カバー６６の押圧突起７４で第１板部３２、第４板部３８の突出部分３２ｃ、３８ｃを押圧して、折曲部３２ｂ、３８ｂを内方に押し込み、折曲部３２ｂ、３８ｂとスリーブ１２の内壁との間に導体８０ａを挟持する。
【００３５】
なお、上述した（１）〜（４）の手順では、第１のスリーブ装着体に１つの第２のスリーブ装着体を取り付け、この第２のスリーブ装着体にカバーを取り付けたが、第２のスリーブ装着体は複数個を積層してもよい。この場合、第２のスリーブ装着体の積層個数に限定はなく、必要に応じ、例えば２〜８個の第２のスリーブ装着体５２を積層することができる。
【００３６】
以上のように、本実施形態の電線接続用具は、第１のスリーブ装着体のスリーブ内に電線の導体を挿入し、次いで第１のスリーブ装着体に第２のスリーブ装着体を取り付け、さらに第２のスリーブ装着体のスリーブ内に電線の導体を挿入した後、第２のスリーブ装着体にカバーを取り付けるだけで、スリーブおよび電線の導体を電気的に絶縁して、複数の電線を簡単に接続することができるため、作業性に優れている。
【００３７】
なお、本発明の電線接続用具は、上記実施形態に限定されるものではなく、導電性スリーブ、スリーブ装着体、カバーの材質、形状、構造等は適宜設定することが可能である。例えば、上記実施形態では、第２のスリーブ装着体を用いたが、第２のスリーブ装着体を省略することにより、第１発明の電線接続用具を構成することができる。また、上記実施形態では、導電性スリーブの第１、第４スリット対の両スリットを筒体の開口まで延ばしたが、第２発明および第４発明のように、両スリットを筒体の開口近傍まで形成し、両スリットの開口側端部間にスリットを形成することにより、第１、第４板部を設けてもよい。
【符号の説明】
【００３８】
１０  電線接続用具
１２  導電性スリーブ
１４  筒体
１６  一端開口
１８  他端開口
２０  第１スリット対
２０ａ、２０ｂ  スリット
２２  第２スリット対
２２ａ、２２ｂ  スリット
２４  第３スリット対
２４ａ、２４ｂ  スリット
２６  第４スリット対
２６ａ、２６ｂ  スリット
２８、３０  スリット
３２  第１板部
３２ａ  開口側端部
３４  第２板部
３４ａ  中央側端部
３６  第３板部
３６ａ  中央側端部
３８  第４板部
３８ａ  開口側端部
４０  中央板部
４２  凹部
４４  第１のスリーブ装着体
５２  第２のスリーブ装着体
６２  押圧突起
６６  カバー
７４  押圧突起
８０  電線
８０ａ  導体
【図１】
2011175769.tif 000003
【図２】
2011175769.tif 000004
【図３】
2011175769.tif 000005
【図４】
2011175769.tif 000006
【図５】
2011175769.tif 000007
【図６】
2011175769.tif 000008
【図７】
2011175769.tif 000009